(57)【要約】  本発明は、染料共役体を含む洗浄および／または処理組成物、並びにこうした組成物を製造する方法および使用する方法に関する。こうした組成物は、これらを用いて洗浄される、ある場所の白さまたは黒さの認識を増大させるなどの利益を提供できる。【特許請求の範囲】
【請求項１】
ａ）少なくとも０．０００１重量％の染料共役体；および
ｂ）任意成分としての剥離剤であって、好ましくは前記任意の剥離剤が少なくとも０．０００１重量％の濃度で存在し、前記任意の剥離剤が、酵素、双極性イオン性ポリマー、非イオン性界面活性剤、一重項酸素発生剤、遷移金属触媒、過酸／有機触媒、およびこれらの混合物からなる群から選択される剥離剤；
を含む洗浄および／または処理組成物であって、
前記組成物の残部が１以上の補助剤材料であり、前記組成物が、好ましくは１以上の前記補助剤成分を含む組成物。
【請求項２】
前記組成物が、約０．０００１〜約２０重量％の染料ポリマー共役体および／または約１〜約５０重量％の染料粘土共役体を含む、請求項１に記載の組成物。
【請求項３】
前記染料ポリマー共役体が、少なくとも１つの反応染料と、ヒドロキシル部分、一級アミン部分、二級アミン部分、チオール部分、およびこれらの組み合わせからなる群から選択される部分を含むポリマー類からなる群から選択されるポリマーとを含む染料ポリマー共役体；並びに少なくとも１つの陽イオン性／塩基性染料と、スメクタイト粘土とを含む染料粘土共役体からなる群から選択される、請求項１または２のいずれか１項に記載の組成物。
【請求項４】
前記染料ポリマー共役体が、反応染料ＣＩリアクティブイエロー１〜２１３、ＣＩリアクティブオレンジ１〜１３９、ＣＩリアクティブレッド１〜２７９、ＣＩリアクティブバイオレット１〜４７、ＣＩリアクティブブルー１〜２７３、ＣＩリアクティブグリーン１〜３３、ＣＩリアクティブブラウン１〜５０、ＣＩリアクティブブラック１〜５０からなる群から選択される少なくとも１つの反応染料と、多糖類、タンパク質類、ポリアルキレンイミン類、ポリアミド類、ポリオール類、シリコーン類からなる群から選択されるポリマーとを含む染料ポリマー共役体；並びにＣ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される少なくとも１つの陽イオン性／塩基性染料と、モンモリロナイト粘土、ヘクトライト粘土、サポナイト粘土、およびこれらの混合物からなる群から選択される粘土とを含む染料粘土共役体からなる群から選択される、請求項１〜３のいずれか１項に記載の組成物。
【請求項５】
前記染料ポリマー共役体が、反応染料Ｃ．Ｉ．リアクティブバイオレット１、２、４、５、２２、４６；Ｃ．Ｉ．リアクティブブルー２、４、５〜８、１０、１３、１５、１９、２１、２７、２８、３６、４０、４９、５０、６９、７４、８１、９４、１０９；Ｃ．Ｉ．リアクティブレッド１〜４、６〜９、１２、１３、１７、２２、２４、３３、３５、４１、４３、４５、５８、６６、８３、８４、８８、９２、９６、１２０、１２５；Ｃ．Ｉ．リアクティブグリーン１、８、１９；Ｃ．Ｉ．リアクティブブラック５、３９および４５からなる群から選択される少なくとも１つの反応染料と、多糖類、タンパク質類、ポリアルキレンイミン類、ポリアミド類、ポリオール類、シリコーン類からなる群から選択されるポリマーとを含む染料ポリマー共役体；並びにＣ．Ｉ．ベーシックレッド１、２、５、９、１２、１３、１４、１５、１８、２２、２４、２７、２９、３０、３９、４５、４６、７６；Ｃ．Ｉ．ベーシックバイオレット１、２、３、４、６、７、１０、１１、１４、１６、１８、２１；Ｃ．Ｉ．ベーシックブルー１、３、５、７、９、１１、１２、１４、２０、２２、２４、４１、４５、４７、５４、５５、５６、５７、６５、６７、９９、１６２；ベーシックグリーン１および４；およびＣ．Ｉ．ベーシックブラック１、２および７からなる群から選択される少なくとも１つの陽イオン性／塩基性染料と、モンモリロナイト粘土、ヘクトライト粘土、サポナイト粘土、およびこれらの混合物からなる群から選択される粘土とを含む染料粘土共役体からなる群から選択される、請求項１〜５のいずれか１項に記載の組成物。
【請求項６】
前記染料ポリマー共役体が、Ｃ．Ｉ．リアクティブブルー１９、Ｃ．Ｉ．リアクティブブルー８、Ｃ．Ｉ．リアクティブブルー１０、Ｃ．Ｉ．リアクティブブルー２１、Ｃ．Ｉ．リアクティブブルー２８、Ｃ．Ｉ．リアクティブバイオレット２２、Ｃ．Ｉ．リアクティブグリーン１、Ｃ．Ｉ．リアクティブレッド１；Ｃ．Ｉ．リアクティブブラック５からなる群から選択される少なくとも１つの染料と、カルボキシメチルセルロース、セルロース、カチオンデンプン、グアーガム、非荷電デンプン、ヒドロキシルエチルセルロース共役体からなる群から選択されるポリマーとを含む染料ポリマー共役体；並びにＣ．Ｉ．ベーシックレッド１、１４、１８；Ｃ．Ｉ．ベーシックバイオレット１、３、１０、１６；Ｃ．Ｉ．ベーシックブルー１、３、７、９、２２；Ｃ．Ｉ．ベーシックグリーン１および４；およびＣ．Ｉ．ベーシックブラック２からなる群から選択される少なくとも１つの染料と、モンモリロナイト粘土、ヘクトライト粘土、サポナイト粘土、およびこれらの混合物からなる群から選択される粘土とを含む染料粘土共役体からなる群から選択される、請求項１〜６のいずれか１項に記載の組成物。
【請求項７】
前記染料ポリマー共役体が、Ｃ．Ｉ．リアクティブブルー１９カルボキシメチルセルロース共役体、Ｃ．Ｉ．リアクティブブルー１９セルロース共役体、Ｃ．Ｉ．リアクティブブルー１９カチオンデンプン共役体、Ｃ．Ｉ．リアクティブブルー８カルボキシメチルセルロース共役体、Ｃ．Ｉ．リアクティブブルー１０カルボキシメチルセルロース共役体、Ｃ．Ｉ．リアクティブブルー２１カルボキシメチルセルロース共役体、Ｃ．Ｉ．リアクティブブルー２８カルボキシメチルセルロース共役体、Ｃ．Ｉリアクティブブルー１９グアーガム共役体、Ｃ．Ｉ．リアクティブバイオレット２２カルボキシメチルセルロース共役体、Ｃ．Ｉ．リアクティブバイオレット２２非荷電デンプン共役体、Ｃ．Ｉリアクティブバイオレット２２カチオンデンプン共役体、Ｃ．Ｉ．リアクティブバイオレット２２グアーガム共役体、Ｃ．Ｉリアクティブバイオレット２２ヒドロキシエチルセルロース共役体、Ｃ．Ｉ．リアクティブグリーン１カルボキシメチルセルロース共役体、Ｃ．Ｉ．リアクティブレッド１カルボキシメチルセルロース共役体、Ｃ．Ｉ．リアクティブレッド１非荷電デンプン、Ｃ．Ｉ．リアクティブブラック５カルボキシメチルセルロース共役体およびこれらの混合物からなる群から選択され；前記染料粘土共役体が、モンモリロナイトベーシックブルーＢ７Ｃ．Ｉ．４２５９５共役体、モンモリロナイトベーシックブルーＢ９Ｃ．Ｉ．５２０１５共役体、モンモリロナイトベーシックバイオレットＶ３Ｃ．Ｉ．４２５５５共役体、モンモリロナイトベーシックグリーンＧｌＣ．Ｉ．４２０４０共役体、モンモリロナイトベーシックレッドＲｌＣ．Ｉ．４５１６０共役体、モンモリロナイトＣ．Ｉ．ベーシックブラック２共役体、ヘクトライトベーシックブルーＢ７Ｃ．Ｉ．４２５９５共役体、ヘクトライトベーシックブルーＢ９Ｃ．Ｉ．５２０１５共役体、ヘクトライトベーシックバイオレットＶ３Ｃ．Ｉ．４２５５５共役体、ヘクトライトベーシックグリーンＧｌＣ．Ｉ．４２０４０共役体、ヘクトライトベーシックレッドＲｌＣ．Ｉ．４５１６０共役体、ヘクトライトＣ．Ｉ．ベーシックブラック２共役体、サポナイトベーシックブルーＢ７Ｃ．Ｉ．４２５９５共役体、サポナイトベーシックブルーＢ９Ｃ．Ｉ．５２０１５共役体、サポナイトベーシックバイオレットＶ３Ｃ．Ｉ．４２５５５共役体、サポナイトベーシックグリーンＧｌＣ．Ｉ．４２０４０共役体、サポナイトベーシックレッドＲｌＣ．Ｉ．４５１６０共役体、サポナイトＣ．Ｉ．ベーシックブラック２共役体およびこれらの混合物からなる群から選択される、請求項１〜７のいずれか１項に記載の組成物。
【請求項８】
ａ）前記染料ポリマー共役体の前記ポリマーが：
（ｉ）約３．３２Ｅ−２０ｇ（２０，０００ダルトン）〜約３．０Ｅ−１９ｇ（１８０，０００ダルトン）の重量平均分子量；
（ｉｉ）約０．３〜約１．２のエーテル置換度；および
（ｉｉｉ）約１：１０〜約１：５０の染料置換比；
のうちの、１以上の特性を有するセルロースエーテルであり；
ｂ）前記染料共役体の少なくとも一部が固体粒子の形態で、前記染料共役体の前記部分の１０重量％以下が６００ミクロンを越える粒径を有し；並びに
ｃ）前記組成物の前記残部が：
（ｉ）予備形成過酸；過酸化水素源と漂白活性化剤との反応からその場で形成された過酸、およびこれらの混合物；
（ｉｉ）分散剤；および
（ｉｉｉ）任意に、１以上の追加補助剤、
を含む組成物である、請求項１〜８のいずれか１項に記載の組成物。
【請求項９】
ある場所の白さの知覚を改善する方法であって、前記方法が、前記場所と請求項１〜８のいずれか１項に記載の組成物とを接触させ、次いで任意に前記表面を洗浄することおよび／または前記表面をすすぐことを含む方法。
【請求項１０】
ある場所の黒さの知覚を改善する方法であって、前記方法が、前記場所と請求項１〜８のいずれか１項に記載の組成物とを接触させ、次いで任意に前記表面を洗浄することおよび／または前記表面をすすぐことを含む方法。
【発明の詳細な説明】
【技術分野】
【０００１】
本発明は、染料共役体を含む洗浄および／または処理組成物、並びにこうした組成物を製造する方法および使用する方法に関する。
【背景技術】
【０００２】
消費者は、衣類のような物品がその最初の色を、物品の使用年数を通して−たとえ、こうした物品が繰り返し洗浄または清浄化される場合であっても、維持することを望む。例えば、白い表面は、こうした色が清浄度と関連しているので白さを維持するのが好ましい。しかし、色の知覚、特に「白さ」は、消費者によって変わり、見る人の文化的な背景に関連した多数のパラメータの相互作用によるものであると考えられている。例えば、エジプト人およびメキシコ人の消費者は、通常、青い色相を白色として知覚する一方で、インド人の消費者は、通常、ピンク色がかった紫の色相を白色として知覚する。さらに、こうした染料は、ある場所でより白さを認識することに役立つが、洗浄および／または処理組成物に使用される場合、洗浄または処理される場所に効率的には付着および／または蓄積しない。結果として、こうした場所の白さの認識は、実際のところ、染料の蓄積によって生じると考えられている変色のために低下する場合がある。材料の付着効率を増大させるためにいくつかの技術が使用されている一方で（例えば、ＰＣＴ国際公開特許ＷＯ２０００／１８８６２、ＰＣＴ国際公開特許ＷＯ９９／１４２４５、ＰＣＴ国際公開特許ＷＯ９８／２９５２８、ＰＣＴ国際公開特許ＷＯ９８／００５００、ＰＣＴ国際公開特許ＷＯ９５／３００４２、米国特許第６，５７９，８４２号、米国特許第６，５８６，３８４号、米国特許第５，９７２，０４９号、米国特許第３，５９７，３０４号、ＧＢ９４８６７８を参照のこと）、染料の蓄積に関連した欠点を示すことなく、状況に応じた色の知覚、例えば「白さ」または「黒さ」を提供できる洗浄および／または処理組成物が必要とされ続けている。
【発明の開示】
【発明が解決しようとする課題】
【０００３】
本発明は、染料共役体を含む洗浄および／または処理組成物、並びにこうした組成物を製造する方法および使用する方法に関する。
【課題を解決するための手段】
【０００４】
定義
本明細書で使用する時、用語「洗浄組成物」は、特に指示しない限り、粒状または粉末形態の万能または「強力」洗浄剤、特に洗浄洗剤；液体、ゲルまたはペースト形態の万能洗浄剤、特にいわゆる強力液体型；液体の高級布地用洗剤；手洗い食器洗浄剤、または軽質食器洗浄剤、特に高起泡型のもの；家庭および企業での使用のための、種々の錠剤、粒状、液体およびリンス補助型を含む機械食器洗浄剤；抗菌ハンドウォッシュ型、洗浄バー、うがい薬、義歯クリーナー、車またはカーペット用シャンプー、浴室クリーナーを含む液体洗浄剤および消毒剤；ヘアシャンプーおよびヘアリンス；シャワージェルおよび泡バスおよび金属クリーナー；並びに漂白添加剤および「染み用スティック」または前処理型のような洗浄補助剤を含む。
【０００５】
本明細書で使用する時、「場所」という用語は、紙製品、布地、衣類および硬質面を包含する。
【０００６】
本明細書で使用する時、「ポリマー」という用語はオリゴマー類を包含する。
【０００７】
本明細書で使用する時、請求項に使用される、冠詞「ａ」および「ａｎ」は、特許請求される、または記載されるものの１個以上を意味すると理解される。
【０００８】
本明細書で使用する時、「反応染料」は、少なくとも１つの発色団を含む染料を意味し、前記染料は、共有結合を介して基材のヒドロキシ、アミノ、またはメルカプト基と結合できる。
【０００９】
本明細書で使用する時、「塩基性／陽イオン性染料」とは、少なくとも１つの発色団を含む染料を意味し、前記少なくとも１つの発色団は前記染料の正イオンの一部である。
【００１０】
特に記載のない限り、構成成分または組成物の濃度はすべて、当該構成成分または組成物の活性レベルに関するものであり、市販の供給源に存在し得る不純物、例えば残留溶媒または副生成物は除外される。
【００１１】
百分率および比率はすべて、特に指示がない限り、重量で計算される。
【００１２】
百分率および比率はすべて、特に指示がない限り、組成物全体を基準にして計算される。
【００１３】
本明細書を通じて記載されるあらゆる最大数値限定は、それより低いあらゆる数値限定を、あたかもそれが本明細書に明確に記載されているかのように含むと理解されなければならない。本明細書全体を通じて記載される最小数値限定は、それより大きいあらゆる数値限定を、あたかもそれが本明細書に明確に記載されているかのように含む。本明細書全体を通じて記載されるあらゆる数値範囲は、そのようなより広い数値範囲内に入るそれよりも狭いあらゆる数値範囲を、あたかもその狭い数値範囲が全て本明細書に明確に記載されているかのように含む。
【００１４】
全ての引用された文書は、関連部分において本明細書に参考として組み込まれる；任意の文書の引用は、それが本発明に関して先行技術であるということの承認として解釈されるべきではない。
【発明を実施するための最良の形態】
【００１５】
洗浄および／または処理組成物
驚くべきことに、染料共役体はある場所を少なくとも部分的にコーティングするために使用できること、並びにこうしたコーティングは、少なくとも部分的に、その場所から容易に剥離できることを見出した。故に、１以上のこうした染料共役体が洗浄および／または布地処理組成物に使用される場合、染料は、効率的に、かつ均一に付着し、容易に除去できる。さらに、汚れおよび土汚れがその場所ではなく、こうしたコーティングに付着すると考えられている。故に、こうしたコーティングが剥離されるときに、汚れおよび残存染料は除去されて、染料蓄積に関連した欠点が軽減される。結果として、処理された場所の色の認識、例えば白さまたは黒さは著しく改善できる。
【００１６】
本出願人らの発明の第１の態様において、本出願人らの発明は、硫酸塩類、リン酸塩類、炭酸塩類、および／またはハライド類のような塩類を任意に含んでいてもよい染料ポリマー共役体、染料粘土共役体およびこれらの混合物から選択される少なくとも０．０００１重量％の材料、並びに任意成分としての剥離剤を含む洗浄および／または処理組成物を包含し、前記組成物の残部は１以上の補助剤材料である。
【００１７】
本出願人らの発明の第２の態様において、本出願人らの発明は、約０．０００１〜約２０重量％、約０．０００１〜約１０重量％、約０．００１〜約１重量％の前記染料ポリマー共役体、および／または約１〜約５０重量％、またはさらに約５〜約１５重量％の染料粘土共役体、並びに任意成分としての剥離剤を含む洗浄および／または処理組成物を包含し、前記組成物の残部は１以上の補助剤材料である。
【００１８】
本出願人らの発明の前記第１および第２の態様において、前記染料ポリマー共役体は、少なくとも１つの反応染料と、ヒドロキシル部分、一級アミン部分、二級アミン部分、チオール部分、およびこれらの組み合わせからなる群から選択される部分を含むポリマー類からなる群から選択されるポリマーとを含む染料ポリマー共役体；並びに少なくとも１つの陽イオン性／塩基性染料とスメクタイト粘土とを含む染料粘土共役体からなる群から選択されてもよい。
【００１９】
本出願人らの発明の前記第１および第２の態様において、前記染料ポリマー共役体は、反応染料ＣＩリアクティブイエロー１〜２１３、ＣＩリアクティブオレンジ１〜１３９、ＣＩリアクティブレッド１〜２７９、ＣＩリアクティブバイオレット１〜４７、ＣＩリアクティブブルー１〜２７３、ＣＩリアクティブグリーン１〜３３、ＣＩリアクティブブラウン１〜５０、ＣＩリアクティブブラック１〜５０からなる群から選択される少なくとも１つの反応染料と、多糖類、タンパク質類、ポリアルキレンイミン類、ポリアミド類、ポリオール類、シリコーン類からなる群から選択されるポリマーとを含む染料ポリマー共役体；並びにＣ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される少なくとも１つの陽イオン性／塩基性染料と、モンモリロナイト粘土、ヘクトライト粘土、サポナイト粘土、およびこれらの混合物からなる群から選択される粘土とを含む染料粘土共役体からなる群から選択されてもよい。
【００２０】
本出願人らの発明の前記第１および第２の態様において、前記染料ポリマー共役体は、反応染料Ｃ．Ｉ．リアクティブバイオレット１、２、４、５、２２、４６；Ｃ．Ｉ．リアクティブブルー２、４、５−８、１０、１３、１５、１９、２１、２７、２８、３６、４０、４９、５０、６９、７４、８１、９４、１０９；Ｃ．Ｉ．リアクティブレッド１−４、６−９、１２、１３、１７、２２、２４、３３、３５、４１、４３、４５、５８、６６、８３、８４、８８、９２、９６、１２０、１２５；Ｃ．Ｉ．リアクティブグリーン１、８、１９；Ｃ．Ｉ．リアクティブブラック５、３９および４５からなる群から選択される少なくとも１つの反応染料と、多糖類、タンパク質類、ポリアルキレンイミン類、ポリアミド類、ポリオール類、シリコーン類からなる群から選択されるポリマーとを含む染料ポリマー共役体；並びにＣ．Ｉ．ベーシックレッド１、２、５、９、１２、１３、１４、１５、１８、２２、２４、２７、２９、３０、３９、４５、４６、７６；Ｃ．Ｉ．ベーシックバイオレット１、２、３、４、６、７、１０、１１、１４、１６、１８、２１；Ｃ．Ｉ．ベーシックブルー１、３、５、７、９、１１、１２、１４、２０、２２、２４、４１、４５、４７、５４、５５、５６、５７、６５、６７、９９、１６２；およびベーシックグリーン１および４；Ｃ．Ｉ．ベーシックブラック１、２および７からなる群から選択される少なくとも１つの陽イオン性／塩基性染料と、モンモリロナイト粘土、ヘクトライト粘土、サポナイト粘土、およびこれらの混合物からなる群から選択される粘土とを含む染料粘土共役体からなる群から選択されてもよい。
【００２１】
本出願人らの発明の前記第１および第２の態様において、前記染料ポリマー共役体は、Ｃ．Ｉ．リアクティブブルー１９、Ｃ．Ｉ．リアクティブブルー８、Ｃ．Ｉ．リアクティブブルー１０、Ｃ．Ｉ．リアクティブブルー２１、Ｃ．Ｉ．リアクティブブルー２８、Ｃ．Ｉ．リアクティブバイオレット２２、Ｃ．Ｉ．リアクティブグリーン１、Ｃ．Ｉ．リアクティブレッド１、Ｃ．Ｉ．リアクティブブラック５からなる群から選択される少なくとも１つの染料と、カルボキシメチルセルロース（ナトリウム塩のようなそれらの塩を含む）などのセルロースエーテル類、メチルセルロース、ヒドロキシルエチルセルロースなどのヒドロキシアルキルセルロース、およびメチルヒドロキシエチルセルロースなどの混合エーテル類、メチルヒドロキシプロピルセルロース、メチルカルボキシメチルセルロース；脂肪酸エステル変性セルロース類；ＰＣＴ国際公開特許ＷＯ９９／０９１２４に開示されるもののようなリン酸化セルロース類；セルロース、カチオンデンプン、グアーガム、非荷電デンプンからなる群から選択されるポリマーとを含む染料ポリマー共役体；並びにＣ．Ｉ．ベーシックレッド１、１４、１８；Ｃ．Ｉ．ベーシックバイオレット１、３、１０、１６；Ｃ．Ｉ．ベーシックブルー１、３、７、９、２２；Ｃ．Ｉ．ベーシックグリーン１および４；およびＣ．Ｉ．ベーシックブラック２からなる群から選択される少なくとも１つの染料と、モンモリロナイト粘土、ヘクトライト粘土、サポナイト粘土およびこれらの混合物からなる群から選択される粘土とを含む染料粘土共役体からなる群から選択されてもよい。
【００２２】
本出願人らの発明の前記第１および第２の態様において、前記染料ポリマー共役体は、Ｃ．Ｉ．リアクティブブルー１９カルボキシメチルセルロース共役体、Ｃ．Ｉ．リアクティブブルー１９セルロース共役体、Ｃ．Ｉ．リアクティブブルー１９カチオンデンプン共役体、Ｃ．Ｉ．リアクティブブルー８カルボキシメチルセルロース共役体、Ｃ．Ｉ．リアクティブブルー１０カルボキシメチルセルロース共役体、Ｃ．Ｉ．リアクティブブルー２１カルボキシメチルセルロース共役体、Ｃ．Ｉ．リアクティブブルー２８カルボキシメチルセルロース共役体、Ｃ．Ｉリアクティブブルー１９グアーガム共役体、Ｃ．Ｉ．リアクティブバイオレット２２カルボキシメチルセルロース共役体、Ｃ．Ｉ．リアクティブバイオレット２２非荷電デンプン共役体、Ｃ．Ｉリアクティブバイオレット２２カチオンデンプン共役体、Ｃ．Ｉ．リアクティブバイオレット２２グアーガム共役体、Ｃ．Ｉリアクティブバイオレット２２ヒドロキシエチルセルロース共役体、Ｃ．Ｉ．リアクティブグリーン１カルボキシメチルセルロース共役体、Ｃ．Ｉ．リアクティブレッド１カルボキシメチルセルロース共役体、Ｃ．Ｉ．リアクティブレッド１非荷電デンプン、Ｃ．Ｉ．リアクティブブラック５カルボキシメチルセルロース共役体およびこれらの混合物からなる群から選択され；前記染料粘土共役体が、モンモリロナイトベーシックブルーＢ７Ｃ．Ｉ．４２５９５共役体、モンモリロナイトベーシックブルーＢ９Ｃ．Ｉ．５２０１５共役体、モンモリロナイトベーシックバイオレットＶ３Ｃ．Ｉ．４２５５５共役体、モンモリロナイトベーシックグリーンＧ１Ｃ．Ｉ．４２０４０共役体、モンモリロナイトベーシックレッドＲ１Ｃ．Ｉ．４５１６０共役体、モンモリロナイトＣ．Ｉ．ベーシックブラック２共役体、ヘクトライトベーシックブルーＢ７Ｃ．Ｉ．４２５９５共役体、ヘクトライトベーシックブルーＢ９Ｃ．Ｉ．５２０１５共役体、ヘクトライトベーシックバイオレットＶ３Ｃ．Ｉ．４２５５５共役体、ヘクトライトベーシックグリーンＧ１Ｃ．Ｉ．４２０４０共役体、ヘクトライトベーシックレッドＲ１Ｃ．Ｉ．４５１６０共役体、ヘクトライトＣ．Ｉ．ベーシックブラック２共役体、サポナイトベーシックブルーＢ７Ｃ．Ｉ．４２５９５共役体、サポナイトベーシックブルーＢ９Ｃ．Ｉ．５２０１５共役体、サポナイトベーシックバイオレットＶ３Ｃ．Ｉ．４２５５５共役体、サポナイトベーシックグリーンＧ１Ｃ．Ｉ．４２０４０共役体、サポナイトベーシックレッドＲ１Ｃ．Ｉ．４５１６０共役体、サポナイトＣ．Ｉ．ベーシックブラック２共役体およびこれらの混合物からなる群から選択されてもよい。
【００２３】
共役体のポリマー構成成分がセルロースエーテル、例えばカルボキシメチルセルロースを含む場合、こうしたセルロースエーテルは、次の１以上の特性を有していてもよい：１．６６Ｅ−２０ｇ（１，０００，０００ダルトン）未満、約３．３２Ｅ−２０ｇ（２０，０００ダルトン）〜約８．３０Ｅ−１９ｇ（５００，０００ダルトン）、約３．３２Ｅ−２０ｇ（２０，０００ダルトン）〜約３．０Ｅ−１９ｇ（１８０，０００ダルトン）またはさらに約５．０Ｅ−２０ｇ（３０，０００ダルトン）〜約２．０Ｅ−１９ｇ（１２０，０００ダルトン）の重量平均分子量；約０．３〜約１．２またはさらに約０．４〜約０．８のエーテル置換度、例えばカルボキシメチル化度；前記置換はブロック状またはランダムである；および約１：１０〜約１：５０またはさらに約１：２０〜約１：３０の染料置換比。上述のセルロースエーテル、例えばカルボキシメチルセルロースは、物理的分解、化学的分解、酵素分解およびこれらの組み合わせからなる群から選択される方法によって分解されてもよい。化学的分解の好適な方法としては、例えば過酸化水素処理による酸化分解が挙げられる。酵素分解の好適な方法としては、セルラーゼのような酵素での処理が挙げられる。セルロースエーテルが分解される場合、本発明の態様の１つでは、こうした分解はエーテル置換の後であるが、染料置換の前に行ってもよい。重量平均分子量は、クロマトグラフィ誌（Journal of Chromatography）、１９８０、１９２、２７５−２９３頁またはポリマー分解および安定性（Polymer Degradation and Stability）、５６（１９９７）、３３１−３３７に詳述される一般的な手順に従って測定され、エーテル置換度、およびエーテル置換度の部分集合であるカルボキシメチル化度は、ＡＳＴＭ方法Ｄ１４３９−０３に従って測定され、染料置換は燃焼分析によって測定される。
【００２４】
本出願人らの発明の前記第１および第２の態様において、前記任意の剥離剤は、少なくとも０．０００１重量％、約０．０００１〜約１０重量％、約０．０００１〜約２重量％、またはさらに約０．００１〜約０．１重量％の濃度で存在していてもよい。前記任意の剥離剤は、酵素、双極性ポリマー類、非イオン性界面活性剤、一重項酸素発生剤、遷移金属触媒、過酸／有機触媒、およびこれらの混合物からなる群から選択されてもよい。好適な酵素としては、通常、主題の洗浄および／または処理組成物に使用するのに好適なあらゆる酵素が挙げられる。こうした酵素としては、中性またはアルカリ性溶液に使用するのに好適なプロテアーゼ類またはカルボヒドラーゼ類が挙げられる。好適な酵素は、動物、植物または細菌源由来であってもよく、化学的または遺伝子工学的に変性されたものを含む。好適なプロテアーゼ類としては、ＥＣ３．４．２１セリンエンドプロテアーゼ類などのセリンプロテアーゼ類、トリプシンプロテアーゼ類およびトリプシン様プロテアーゼ類が挙げられる。好適なプロテアーゼ類の追加の例としては、バチルスから誘導されるアルカリ性プロテアーゼ類、例えばサブチリシンノボ（Novo）、サブチリシンカールスバーグ（Carlsberg）、サブチリシン類３０９、１４７および１６８が挙げられ、こうした基本構造からの変異型を含む。好適な酵素の市販例としては、サビナーゼ（Savinase）（登録商標）、アルカレーゼ（Alcalase）（登録商標）、エスペラーゼ（Esperase）（登録商標）、エヴァレーゼ（Everlase）（登録商標）、カナーゼ（Kannase）（登録商標）およびプラフェクト（Purafect）（登録商標）、プラフェクト（Purafect）ＯＸ（登録商標）、プラフェクト（Purafect）ＭＡ（登録商標）、プロペラーゼ（Properase）（登録商標）が挙げられる。追加の好適な酵素としては、ＢＬＡＰプロテアーゼおよびその変異型、並びにＥＰ０２５１４４６、ＰＣＴ国際公開特許ＷＯ９１／０６６３７、ＰＣＴ国際公開特許ＷＯ９５／１０５９１およびＰＣＴ国際公開特許ＷＯ９９／２０７２７に記載されるプロテアーゼ類が挙げられる。好適なカルボヒドラーゼ類としては、ホモおよびヘテロ多糖類、例えばセルロース類、デンプン類、キシラン類、（ガラクト）マンナン類、ペクチ
ン類、アルギネート類、（アラビノ）ガラクタン類、ガム類などにおけるＯ−グリコシル結合を分解する酵素が挙げられる。こうした酵素の例としては、ｏ−グリコシル化合物を加水分解する中性またはアルカリ性酵素、すなわちＥＣ３．２．１．酵素、例えば（α）アミラーゼ類、（ヘミ）セルラーゼ類、ペクテート加水分解酵素、ペクチンリアーゼ類、マンナナーゼ類、キシラナーゼ類、アラビナーゼ類、キシラナーゼ類、キシログルカナーゼ類およびエンドＥＣ３．２．１酵素が挙げられる。好適な酵素の市販例としては、ナタラーゼ（Natalase）（登録商標）、ターマミル（Termamyl）（登録商標）、デュラミル（Duramyl）（登録商標）、ＢＡＮ（登録商標）、フンガミル（Fungamyl）（登録商標）、ステインザイム（Stainzyme）（登録商標）、プラスタ（Purastar）（登録商標）、プラフェクト（Purafect）ＯＸＡＭ（登録商標）、ケアザイム（Carezyme）（登録商標）、セルザイム（Celluzyme）（登録商標）、エンドレーゼ（Endolase）（登録商標）、マンナウェイ（Mannaway）（登録商標）、プラブライト（Purabrite）（登録商標）、ペクタウォッシュ（Pectawash）（登録商標）、およびペクタウェイ（Pectaway）（登録商標）が挙げられる。
【００２５】
染料共役体
染料共役体には、染料と、共役材料、例えばポリマーまたは粘土とが、互いに化学的および／または物理的に結合しているような材料が含まれる。こうした染料共役体は、染料および／または染料共役体の電荷、染料の耐光性および／または剥離剤に対する感応性、ポリマー分子量およびその他の洗剤成分を含む多数の特性に基づいて選択されてもよい。本出願人らの発明の特定の実施形態では、染料共役体は、任意成分としての剥離剤を必要としないように選択することも可能である。
【００２６】
好適な染料と共役体の重量比は、約５：１〜約１：１０またはさらに５：１〜約１：１０００を含む。
【００２７】
好適な染料共役体は、メガザイム・インターナショナル・アイルランド社（Megazyme International Ireland Ltd.）（アイルランド、ウィックロー（Wicklow）、ブレイ社（Bray, Co.）、ブレイ・ビジネス・パーク（Bray Business Park））から得られてもよく（例えば、アゾ−ＣＭ−セルロース）、または本出願人らの明細書／実施例の教示または次の文献の教示に従って製造されてもよい：ダイズ・アンド・ペインツ（Dyes & Paints）：布地を着色するための実践ガイド（Hands-On Guide to Coloring Fabric）、エリン・ノーブル（Elin Noble）著、出版社：マルチンゲール社（Martingale and Company）；（１９９８年３月１日）、ＡＳＩＮ：１５６４７７１０３２、３３〜４５頁、および／または布地の染色およびペインティングのための基本ガイド（Basic Guide to Dyeing & Painting Fabric）、シンディ・ウォルター（Cindy Walter）およびジェニファー・プリエストリ（Jennifer Priestley）著、出版社：クラウゼ・パブリケーションズ（Krause Publications）；Ｂｋ＆Ａｃｃｅｓ版（２００２年３月１日）、ＩＳＢＮ：０８７３４９３３４６、１６および２０〜３４頁。
【００２８】
好適な染料共役体を製造するための好適な染料、ポリマー材料および粘土としては、本出願の洗浄および／または処理組成物の項にて詳述された染料、ポリマー材料および粘土が挙げられる。好適な染料は、アスカッシュ・ケミカルズ・アンド・ダイスタッフズ（Askash Chemicals & Dyestuffs Inc.）（米国イリノイ州６０１３９、グレンダール・ヘイツ（Glendale Heights）、ミッチェルロード（Mitchell Road）５６１）；ダイスターＧｍｂＨ＆Ｃｏ．（DyStar GmbH & Co.）（ドイツ、６５９２６フランクフルト、ドイツＫＧインダストリーパーク・ヘキスト（Industriepark Hoechst））；クラシック・ダイスタッフ（Classic Dyestuff Inc.）（米国ノースカロライナ州２７２６１、ハイポイント（High Point）、私書箱２３６８）；ＢＡＳＦアクティーエンゲゼルシャフト（Aktiengesellschaft），グローバル・ビジネス・マネンジメント・パフォーマンス・ケミカルズ・フォー・テキスタイルズ（Global Business Management Performance Chemicals for Textiles）（ドイツ、６７０５６ルートウィヒスハーヘン（Ludwigshafen）、ＥＶＴ）から得ることも可能である。好適なポリマー材料は、ノヴィアント・デルタ（Noviant Delta）１Ｐ（オランダ、ＮＬ−６８０２ＣＡアルンヘム、２  私書箱２０１６、ビジネスパーク・アイセルールド（Business Park Ijsseloord））；ナショナル・スターチ・アンド・ケミカル（National Starch and Chemical）（米国ニュージャージー州０８８０７−３３００、ファインダーレン・アベニュー・ブライドウォーター（Finderne Avenue Bridewater）１０）；クローダ・コロイズ社（Croda Colloids Ltd,）（イギリス、ＷＡ８  ８ＵＢファウンダー・レーン・ディットン・ウィドネス・チェシャイン（Foundry Lane Ditton Widnes Cheshire））；ハーキュレス社（Hercules Incorporated）（米国デラウェア州１９８−０００１、ウ
ィルミントン（Wilmington）、ノース・マーケットストリート（North Market Street）１３１３）から得てもよい。好適なスメクタイト粘土は、コリン・スチュアート・ミンケム（Colin Stuart Minchem）（イギリス、ＣＷ７  ３ＢＵウィンスフォード・チェシャイン（Winsford Cheshire）、ウェイバー・バリー・ロード（Weaver Valley Road））（例えば、クエスト・ベントナイト（Quest Bentonite））；ラビオサ・チミカ（Laviosa Chimica）（イタリア、５７１２３リボルノ（Livorno）、レオナルド・ダ・ヴィンチ通り（Via Leonardo da Vinci）２１）（例えば、デターカルズ（Detercals））；ズード・ケミ（Sued Chemie）（ドイツ、８５３６８モースブルク（Moosburg）、オステンライデストラッセ（Ostenriederstrasse）１５）（例えば、ラウンドロシル（Laundrosil））；サウザン・クレイ・プロダクツ（Southern Clay Products）（米国テキサス州７８６２９、ゴンザレ（Gonzale）、チャーチ・ストリート（Church Street）１２１２）（例えば、ゲルホワイト（Gelwhite）およびラポナイト粘土）；エレメンティス・スペシャルティーズ（Elementis Specialties）（米国ニュージャージー州０８５２０、ハイツタウン（Hightstown）３２９、ウィックーフ・ミル・ロード（Wyckoofs Mill Road）３２９）（例えば、ベントン（Bentone）ＥＷ）から得てもよい。
【００２９】
補助剤材料
本発明の目的には必須でないが、以下に例示される補助剤の非限定的なリストは、当該組成物において使用するのに適しており、例えば、洗浄性能を補助若しくは向上させるために、洗浄されるべき基材の処理のために、または香料、着色剤、染料などを用いる場合のように洗浄組成物の審美性を変化させるために、本発明の特定の実施形態に組み込まれるのが望ましい。こうした補助剤は、本出願人らの組成物の染料共役体および任意の剥離剤構成成分に加えられることが理解される。このような追加的構成成分の明確な性質、およびそれを組み込む濃度は、組成物の物理的形態および使用されるべき洗浄作業の性質に依存する。好適な補助剤材料としては、界面活性剤、ビルダー、キレート剤、移染防止剤、分散剤、酵素および酵素安定剤、触媒作用性物質、漂白活性化剤、過酸化水素、過酸化水素供給源、予備形成過酸類、ポリマー分散剤、粘土汚れ除去／再付着防止剤、増白剤、起泡抑制剤、染料、香料、構造伸縮性付与剤、柔軟仕上げ剤、キャリア、向水性物質、加工助剤、溶媒、および／または顔料が挙げられるが、これらに限定されない。下記の開示に加え、このようなその他の補助剤の適した例および使用濃度は、米国特許第５，５７６，２８２号、米国特許第６，３０６，８１２Ｂ１号および米国特許第６，３２６，３４８Ｂ１号に見出され、これらを本明細書に参考として組み込む。
【００３０】
述べてきたように、補助剤成分は、本出願人らの組成物に必須ではない。従って、本出願人らの組成物の特定の実施形態は、次の補助剤材料の１以上を含有しない：界面活性剤、ビルダー、キレート剤、移染防止剤、分散剤、酵素、および酵素安定剤、触媒材料、漂白活性化剤、過酸化水素、過酸化水素源、予備形成過酸類、ポリマー分散剤、粘土汚れ除去／再付着防止剤、増白剤、起泡抑制剤、染料、香料、構造弾性化剤、柔軟仕上げ剤、キャリア、向水性物質、加工助剤、溶媒および／または顔料。しかし、１以上の補助剤が存在する場合、このような１以上の補助剤は、以下に詳細に記載されるように存在することも可能である。
【００３１】
漂白剤−本発明の洗浄組成物は、１以上の漂白剤を含んでもよい。漂白触媒以外の好適な漂白剤としては、光漂白剤、漂白活性化剤、過酸化水素、過酸化水素源、予備形成過酸類、およびこれらの混合物が挙げられる。一般に、漂白剤が使用される場合、本発明の組成物は、主題の洗浄組成物の約０．１重量％〜約５０重量％、またはさらに約０．１重量％〜約２５重量％の漂白剤を含んでもよい。好適な漂白剤の例としては、以下が挙げられる：
（１）例えば、スルホン化亜鉛フタロシアニンのための光漂白剤；
（２）式Ｒ−（Ｃ＝Ｏ）Ｏ−Ｏ−Ｍを有する疎水性および親水性過酸類であって、ここでＲは、過酸が疎水性である場合、６〜１４個の炭素原子または８〜１２個の炭素原子を有するアルキル基、および過酸が親水性である場合、６個未満の炭素原子またはさらに４個未満の炭素原子を有するアルキル基であり、任意に分枝しており；Ｍは、対イオン、例えばナトリウム、カリウムまたは水素である；
（３）過酸化水素源、例えばアルカリ金属塩類を含む無機過水和物塩類、例えば過ホウ酸ナトリウム塩（通常は一水和物または四水和物）、過炭酸塩、過硫酸塩、過ホスホン酸塩、過ケイ酸塩、およびこれらの混合物。本発明の態様の１つでは、無機過水和物塩類は、過ホウ酸塩、過炭酸塩、およびこれらの混合物のナトリウム塩類からなる群から選択される。無機過水和物塩類は、使用される場合、通常、組成物全体の０．０５〜４０重量％、または１〜３０重量％の量で存在し、通常、コーティングされてもよい結晶性固体としてこうした組成物に組み込まれる。好適なコーティングとしては、無機塩類、例えばアルカリ金属ケイ酸塩、炭酸塩またはホウ酸塩、あるいはこれらの混合物；あるいは有機材料、例えば水溶性または分散性ポリマー類、ワックス類、オイル類または脂肪石鹸類が挙げられる；
（４）Ｒ−（Ｃ＝Ｏ）−Ｌを有する漂白活性化剤であって、ここでＲは、漂白活性化剤が疎水性である場合、６〜１４個の炭素原子または８〜１２個の炭素原子を有するアルキル基、および漂白活性化剤が親水性である場合、６個未満の炭素原子またはさらに４個未満の炭素原子を有するアルキル基であり、任意に分枝しており；Ｌは脱離基である。好適な脱離基の例は、安息香酸およびそれらの誘導体−特にベンゼンスルホネートである。好適な漂白活性化剤としては、ドデカノイルオキシベンゼンスルホネート、デカノイルオキシベンゼンスルホネート、デカノイルオキシ安息香酸またはそれらの塩、３，５，５−トリメチルヘキサノイルオキシベンゼンスルホネート、テトラアセチルエチレンジアミン（ＴＡＥＤ）およびノナノイルオキシベンゼンスルホネート（ＮＯＢＳ）が挙げられる。好適な漂白活性化剤はまた、ＰＣＴ国際公開特許ＷＯ９８／１７７６７に開示されている。好適な漂白活性化剤が使用できる場合、本発明の態様の１つでは、主題の洗浄組成物はＮＯＢＳを含んでいてもよい。
【００３２】
過酸および／または漂白活性化剤は、存在する場合、一般に、組成物を基準に約０．１〜約１０重量％、約０．５〜約７重量％、またはさらに約０．６〜約４重量％の量で組成物中に存在する。１以上の疎水性の過酸類またはそれらの前駆体は、１以上の親水性過酸またはそれらの前駆体と組み合わせて使用してもよい。
【００３３】
本発明者らは、本発明によって得られる布地の色相が、疎水性の過酸を本発明の洗浄組成物に使用した場合には強めることができ、本発明の態様の１つでは、こうした洗浄組成物は予備形成過酸；過酸化水素源および漂白活性化剤の反応からその場で形成された過酸；およびこれらの混合物を含むことが可能である。本発明の別の態様では、こうした洗浄組成物は、過酸化水素源および漂白活性化剤の反応からその場で形成された過酸を含むことも可能である。好適な過酸類、過酸化水素源および漂白活性化剤は、上述の、過酸類、過酸化水素源および漂白活性化剤を含む。
【００３４】
過酸化水素源および過酸または漂白活性化剤の量は、有効酸素（過酸化物源からのもの）と過酸とのモル比が１：１〜３５：１、またはさらに２：１〜１０：１になるように選択してもよい。
【００３５】
界面活性剤−本発明による洗浄組成物は、界面活性剤または界面活性剤系を含むことが可能で、その際、前記界面活性剤は、非イオン性界面活性剤、陰イオン性界面活性剤、陽イオン性界面活性剤、両性界面活性剤、双極性界面活性剤、半極性非イオン性界面活性剤、およびこれらの混合物から選択できる。
【００３６】
界面活性剤は、通常、主題組成物の約０．１重量％〜約６０重量％、約１重量％〜約５０重量％またはさらに約５重量％〜約４０重量％の濃度で存在する。
【００３７】
ビルダー−本発明の洗浄組成物は、１以上の洗剤ビルダーまたはビルダー系を含んでいてもよい。ビルダーが使用される場合、主題組成物は、通常、主題組成物の少なくとも約１重量％、約５重量％〜約６０重量％またはさらに約１０重量％〜約４０重量％のビルダーを含む。
【００３８】
ビルダーとしては、ポリホスフェート類のアルカリ金属とアンモニウムおよびアルカノールアンモニウム塩、アルカリ金属シリケート類、アルカリ土類およびアルカリ金属カーボネート類、アルミノシリケートビルダーおよびポリカルボキシレート化合物、エーテルヒドロキシポリカルボキシレート類、無水マレイン酸とエチレンまたはビニルメチルエーテルとのコポリマー類、１，３，５−トリヒドロキシベンゼン−２，４，６−トリスルホン酸、およびカルボキシメチルオキシコハク酸、エチレンジアミン四酢酸およびニトリロ三酢酸のようなポリ酢酸類の種々のアルカリ金属とアンモニウムおよび置換アンモニウム塩類、並びにポリカルボキシレート類、例えばメリト酸、コハク酸、クエン酸、オキシジコハク酸、ポリマレイン酸、ベンゼン１，３，５−トリカルボン酸、カルボキシメチルオキシコハク酸、およびそれらの可溶性の塩類が挙げられるが、これらに限定されない。
【００３９】
キレート剤−本明細書の洗浄組成物は、キレート剤を含有することが可能である。好適なキレート剤としては、銅、鉄および／またはマンガンキレート剤およびこれらの混合物が挙げられる。
【００４０】
キレート剤が使用される場合、主題組成物は、主題組成物の約０．１重量％〜約１５重量％またはさらに約３．０重量％〜約１０重量％のキレート剤を含んでもよい。
【００４１】
移染防止剤−本発明の洗浄組成物はまた、１以上の移染防止剤を含んでもよい。適した高分子移染防止剤には、ポリビニルピロリドンポリマー類、ポリアミンＮ−オキシドポリマー類、Ｎ−ビニルピロリドンとＮ−ビニルイミダゾールとのコポリマー類、ポリビニルオキサゾリドン類およびポリビニルイミダゾール類、またはこれらの混合物が挙げられるが、これらに限定されない。
【００４２】
移染防止剤は、主題組成物に存在する場合、組成物の約０．０００１重量％〜約１０重量％、約０．０１重量％〜約５重量％またはさらに約０．１重量％〜約３重量％の濃度で存在してもよい。
【００４３】
増白剤−本発明の洗浄組成物はまた、蛍光増白剤のような洗浄されるべき物品に色合いをつけることができる追加の構成成分を含有し得る。好適な蛍光増白剤の濃度は、洗浄組成物全体の重量％を基準に、約０．０１、約０．０５、約０．１またはさらに約０．２重量％の下限濃度から０．５またはさらに０．７５重量％の上限濃度で含まれる。好適な増白剤は、Ｌ．ホー・タン・タイ（L. Ho Tan Tai）の「洗剤およびパーソナルケア製品の配合（Formulating Detergents and Personal Care Products）：製品開発のための完全ガイド」、ＡＯＣＳ出版、シャンペーン（Champaign）、２０００、１２２−１３７頁に記載される。
【００４４】
分散剤−本発明の洗浄組成物はまた、分散剤を含有することができる。適した水溶性有機材料は、ホモポリマーまたはコポリマーの酸類またはそれらの塩類を含み、それらのうちのポリカルボン酸は、互いに炭素原子２個を超えない程度に離れている少なくとも２個のカルボキシルラジカルを含む。共役したポリマー類と共役していないポリマー類との組み合わせは、この２つの構成成分がバランスをとって好ましいレベルのポリマー−染料共役体付着を提供でき、および／または土汚れの付着を低減することにより白さを維持できるので特に有用な場合があることを、本発明者らは見出した。故に、本発明の態様の１つでは、本発明の組成物は、セルロースエーテル類、例えばナトリウム塩類のような塩類を含むカルボキシメチルセルロース、メチルセルロース、ヒドロキシルエチルセルロースなどのヒドロキシアルキルセルロース、および混合エーテル類、例えばメチルヒドロキシエチルセルロース、メチルヒドロキシプロピルセルロース、メチルカルボキシメチルセルロース；リン酸化セルロース類、例えばＰＣＴ国際公開特許ＷＯ９９／０９１２４に開示されるもの；セルロース、カチオンデンプン、グアーガム、非荷電デンプン、およびこれらの混合物からなる群から選択される分散剤ポリマーを含んでもよい。こうした分散剤ポリマーは、別個の成分として全体または部分的に提供されることも、あるいは染料共役体反応混合物中に非共役ポリマーの形態で全体または部分的に提供されることも可能である。洗浄組成物全体の重量に基づいた分散剤ポリマーの量は、約０．０５重量％〜約１０重量％、約０．１〜約５重量％またはさらに約０．１重量％〜約２重量％で含まれてもよい。
【００４５】
酵素−洗浄組成物は、洗浄性能および／または布地ケア効果を提供する１以上の酵素を含むことができる。好適な酵素の例には、ヘミセルラーゼ類、ペルオキシダーゼ類、プロテアーゼ類、セルラーゼ類、キシラナーゼ類、リパーゼ類、ホスホリパーゼ類、エステラーゼ類、クチナーゼ類、ペクチナーゼ類、マンナナーゼ類、ペクテートリアーゼ類（pectate lyases）、ケラタナーゼ類、レダクターゼ類、オキシダーゼ類、フェノールオキシダーゼ類、リポキシゲナーゼ類、リグニナーゼ類、プルラナーゼ類、タンナーゼ類、ペントサナーゼ類（pentosanases）、マラナーゼ類（malanases）、β−グルカナーゼ類、アラビノシダーゼ類（arabinosidases）、ヒアルロニダーゼ類、コンドロイチナーゼ類、ラッカーゼ類、およびアミラーゼ類、またはこれらの混合物が挙げられるが、これらに限定されない。代表的な組み合わせは、アミラーゼと組み合わせてプロテアーゼ、リパーゼ、クチナーゼ、および／またはセルラーゼを含んでいてもよい酵素混液である。
【００４６】
洗浄組成物に存在する場合、上述の補助剤酵素は、組成物の約０．００００１重量％〜約２重量％、約０．０００１重量％〜約１重量％またはさらに約０．００１重量％〜約０．５重量％の酵素タンパク質のレベルで存在してもよい。
【００４７】
酵素安定剤−種々の技法によって、洗剤で使用する酵素を安定化させることができる。本明細書に用いられる酵素は、カルシウムイオンおよび／またはマグネシウムイオンを酵素に供給する、最終組成物中のカルシウムおよび／またはマグネシウムイオンの水溶性供給源の存在によって安定化させることができる。プロテアーゼを含む水性組成物の場合、安定性をさらに改善するために可逆性のタンパク質分解酵素抑制剤を添加し得る。
【００４８】
触媒金属錯体−本出願人らの洗浄組成物は、触媒金属錯体を含むことが可能である。金属含有漂白剤触媒の１つの種類は、銅、鉄、チタン、ルテニウム、タングステン、モリブデン、またはマンガンの陽イオンのような、限定された漂白剤触媒活性の遷移金属陽イオン、亜鉛またはアルミニウムの陽イオンのような、漂白剤触媒活性をほとんどまたは全くもたない補助金属陽イオン、並びに触媒作用性金属および補助金属の陽イオンに対して限定された安定度定数を有する金属イオン封鎖剤、特にエチレンジアミン四酢酸、エチレンジアミンテトラ（メチレンホスホン酸）およびそれらの水溶性の塩類を含む触媒系である。このような触媒は、米国特許第４，４３０，２４３号に開示される。
【００４９】
所望する場合、本明細書の組成物はマンガン化合物を用いて触媒作用され得る。このような化合物および使用濃度は当該技術分野で周知であり、例えば、米国特許第５，５７６，２８２号に開示されるマンガン系触媒が挙げられる。
【００５０】
本明細書において有用なコバルト漂白触媒は既知であり、例えば、米国特許第５，５９７，９３６号、米国特許第５，５９５，９６７号に記載される。このようなコバルト触媒は、例えば米国特許第５，５９７，９３６号および米国特許第５，５９５，９６７号に教示されているような、既知の手順によって容易に調製される。
【００５１】
本明細書の組成物はまた、大多環状の剛性配位子（「ＭＲＬ」と省略される）の遷移金属錯体を適切に含んでもよい。実際問題として、限定するためではないが、本明細書の組成物および方法は、水性洗浄媒体において、少なくとも１億分の１のオーダーの活性ＭＲＬ種を提供するように調整することができ、通常、約０．００５ｐｐｍ〜約２５ｐｐｍ、約０．０５ｐｐｍ〜約１０ｐｐｍ、またはさらに約０．１ｐｐｍ〜約５ｐｐｍのＭＲＬを洗浄溶液中に提供する。
【００５２】
本遷移金属漂白触媒における好適な遷移金属には、例えばマンガン、鉄、およびクロムが含まれる。好適なＭＲＬとしては、５，１２−ジエチル−１，５，８，１２−テトラアザビシクロ［６．６．２］ヘキサデカンが挙げられる。
【００５３】
適した遷移金属ＭＲＬは、既知の手順、例えば、ＰＣＴ国際公開特許ＷＯ００／３２６０１、および米国特許第６，２２５，４６４号にて教示される手順によって容易に調製される。
【００５４】
溶媒−好適な溶媒としては、水および親油性流体のような他の溶媒が挙げられる。好適な親油性流体の例としては、シロキサン、他のシリコーン、炭化水素、グリコールエーテル、グリセリンエーテルのようなグリセリン誘導体、ペルフルオロ化アミン、ペルフルオロ化およびハイドロフルオロエーテル溶媒、低揮発性の非フッ素化有機溶媒、ジオール溶媒、環境に優しいその他の溶媒、並びにこれらの混合物が挙げられる。
【００５５】
洗浄および／または処理組成物の製造方法
本発明の洗浄組成物は、任意の適切な形態に配合でき、配合者によって選択される任意の方法によって調製され、方法の非限定例は、本出願人らの実施例、並びに米国特許第５，８７９，５８４号、米国特許第５，６９１，２９７号、米国特許第５，５７４，００５号、米国特許第５，５６９，６４５号、米国特許第５，５６５，４２２号、米国特許第５，５１６，４４８号、米国特許第５，４８９，３９２号、および米国特許第５，４８６，３０３号（これらすべては本明細書に参考として組み入れる）に記載される。本発明の態様の１つでは、染料共役体は、１０重量％以下、５重量％以下またはさらに１重量％以下の染料共役体が６００、５００、４５０、３５０またはさらに３００ミクロンを超える粒径を有するような粒径の固体の粒子として本発明の洗浄組成物に組み込まれる。
【００５６】
使用方法
本発明の洗浄および／または処理組成物は、ある場所、とりわけ表面または布地の洗浄および／または処理に使用できる。通常、前記場所の少なくとも一部が、非希釈形態のまたは洗浄液で希釈された本出願人らの組成物の実施形態と接触し、そしてその後所望により当該場所が洗浄されおよび／またはすすがれる。本発明の趣旨上、洗浄することは、擦ることおよび機械的攪拌を包含するが、これらに限定されない。布地は、通常の消費者の使用条件で洗濯可能なあらゆる布地を含むことができる。開示された洗浄組成物を含む洗浄溶液は、通常、約５〜約１０．５のｐＨを有する。こうした組成物は、典型的には溶液中で約５００ｐｐｍ〜約１５，０００ｐｐｍの濃度で使用される。洗浄溶媒が水である場合、水の温度は、通常約５℃〜約９０℃の範囲であり、前記場所が布地を含む場合、水と布地の質量比は、通常約１：１〜約１００：１である。
【実施例】
【００５７】
実施例１：ＣＭＣに結合したレマゾール（Remazol）ブルーまたはラナゾール（Lanasol）バイオレットの合成
５０グラムのＯ−（カルボキシメチル）セルロースを、温度が５０℃で、１００ｍｇのシグマ（Sigma）粗セルラーゼ調製物（シグマ（Sigma）Ｃ７５０２）を含有する１リットルの水に添加し、スパチュラで攪拌して、濃厚なペーストを得る。ｐＨを調べ、必要に応じて、１ＭのＨＣｌを添加することによって４．５に調節する。溶液温度は、５０℃で３０分間維持される。この溶液を激しく混ぜ合わせ、塊を除き、次いで１００グラムの無水硫酸ナトリウム、１０グラムのレマゾール（Remazol）ブリリアントブルーＲ（「ＲＢＢ」）またはラナゾール（Lanasol）バイオレットおよび１０グラムのリン酸三ナトリウムで処理し、温度を７０℃に上昇させる。溶液を攪拌し、ホットプレート磁性撹拌機で７０℃にて２時間維持する。まだ温かい間に、溶液を１．５体積エタノールで処理して、染色された多糖類を沈殿させ、次いでそれをナイロンスクリーン上に回収し、絞って余分な液体を除去する。この材料は、ブレンダーにて均質化することによって温水に再溶解させ、次いで１．５体積エタノールで沈殿させることによって回収する。このプロセスは、洗液が本質的に無色になるまで繰り返す。次いで多糖類を２リットルの水に溶解させ、水道水を流して１６時間透析する。多糖類は、２体積のエタノールおよび染料ポリマー共役体の沈殿を生じさせるのに十分な体積の１ＭのＫＣｌの添加によって溶液から沈殿させる。得られた染料ポリマー共役体をナイロンスクリーン上に回収し、エタノールおよびアセトンを用いる溶媒交換により乾燥させ、真空下で乾燥させる：収率は４５グラムである：ＲＢＢはＣＭＣに結合する。得られた染料ポリマー共役体を分析すれば、約１．３３Ｅ−１９ｇ（８０，０００ダルトン）の重量平均分子量、約０．４のエーテル置換度、および約１：２２の染料置換比を有することがわかる。
【００５８】
実施例２：非酵素分解ＣＭＣに結合したレマゾール（Remazol）ブルーの合成
実施例１の  手順を繰り返すが、セルロース酵素の処理工程を省く。
【００５９】
実施例３：それぞれクラリアント（Clariant）からのドリマレン（Drimarene）、レマゾール（Remazol）ブリリアントブルーおよびプロシオン（Procion）ブルーＨＢであるカルボキシメチルセルロースと染料との染料共役体の別の調製
上述のように調製された５０ｍＬのＣＭＣ−４溶液を５０℃に加温し、０．１４１８グラムの水酸化ナトリウムを添加して緩衝剤を補う。次に、１グラムの無水硫酸ナトリウムを添加する。溶解が完了した後、１．６×１０−４モルの染料および０．１ｇのリン酸三ナトリウムを添加して、温度を７０℃に上昇させる。溶液をこの温度に維持し、２時間撹拌する。まだ温かい間に、溶液を１．５体積のエタノール（７５ｍＬ）で処理して、染色された多糖類を沈殿させる。この溶液を撹拌しながら氷浴で冷却する。次いで、沈殿物を濾過によりガラスフィルター上に回収し、１／１．５ｖ／ｖの水／エタノール溶液で洗浄する。染料官能化多糖類を精製するために、残渣を約３０〜４０ｍＬ水中に溶解し、６０〜７０℃に加温する。残存エタノールを真空下で除去し、溶解が完了するまで溶液を撹拌する。次いで、温かい溶液を１．５体積のエタノールで処理し、撹拌しながら氷浴中にて冷却し、次いで沈殿物を濾過によって単離する。この手順を濾液が無色になるまで繰り返す。ぬれた状態の官能化多糖類は、最終的に真空下で完全に乾燥させる。
【００６０】
実施例４：カルボキシメチルセルロースとＣ．Ｉ．リアクティブブラック５との染料共役体の調製
Ｃ．Ｉ．リアクティブブラック５染料共役体は、実施例３に記載される手順に従って製造されるが、ただしクラリアント（Clariant）からのドリマレン（Drimarene）、レマゾール（Remazol）ブリリアントブルーおよびプロシオン（Procion）ブルーＨＢ染料をＣ．Ｉ．リアクティブブラック５に置き換える。
【００６１】
実施例５：セルロース粉末を出発とするＣＭＣに結合したレマゾール（Remazol）ブルーの合成
カバノキセルロース粉末（１０ｇ）をリアクティブブルー１９（２０ｍＬ２０％）、塩化ナトリウム（１００ｍＬ、２００ｇ／Ｌ）、リン酸三ナトリウム（４０ｍＬ、５０ｇ／Ｌ）、および水（４０ｍＬ）を含有する染浴にて染色する。染浴を５０℃にて６０分間加熱し、次いで室温まで冷却する。染浴をｐＨ６に中和し、内容物を濾過によって回収する。染色されたセルロースは、洗液が無色になるまで温水（９５℃）洗液（ｐＨ６）を用いて洗浄を繰り返す。得られた染色セルロースをクロロ酢酸で処理し、米国特許第３，２８４，４４１号に記載される手順を用いて染色カルボキシメチルセルロースを製造する。得られた生成物はそのまま使用でき、または実施例１に記載されるようにセルロースで処理できる。
【００６２】
実施例６：粘土−染料共役体懸濁液の調製
クエスト（Quest）ベントナイトの均質懸濁液を、２５グラムの粘土粉末と５リットルの蒸留水とを１時間混合することによって製造する。２リットルの水中に０．２５グラムのベーシックバイオレットＶ３Ｃ．Ｉ．４２５５５染料を含む染料溶液を製造し、粘土懸濁液に添加するが、この染料溶液を添加中は連続的に混合しながら５時間かけて添加する。次いで得られた染料／粘土／水混合物をさらに４８時間混合する。４８時間後、混合物を遠心分離し、上澄み液をデカントする。粘土／染料沈殿物を２リットルの蒸留水中に再懸濁させ、遠心分離し、上澄み液をデカントする洗浄工程を行う。再懸濁／遠心分離工程をもう１回繰り返す。得られた染料粘土共役体を懸濁液として液体洗浄または処理組成物に添加してもよく、またはその懸濁液を乾燥して、粉砕し、粉末を得てもよい。粉末を洗浄または処理組成物に添加でき、またはその粉末を使用して、こうした組成物に添加できる粒塊を製造することもできる。
【００６３】
実施例７：粘土−染料共役体懸濁液の調製
染料溶液を粘土懸濁液に２時間かけて添加し、続く混合を２４時間行い、洗浄工程を５回行うこと以外、実施例６の方法を行う。
【００６４】
実施例８：粒状粘土−染料共役体の調製
５０ｍｅｑ／１００ｇを越える陽イオン交換能を有する３２ｋｇのクエスト（Quest）ベントナイト粘土を、レーディゲ（Loedige）（商標）アグロメレーターに添加し、１４０グラムのベーシックブルーＢ９Ｃ．Ｉ．５２０１５を含有する４リットルの水を粘土粉末に除々に噴霧する。得られた混合物を、この混合物が約１５重量％の水分を含有するまで乾燥させ、次いでこの混合物を、混合物の少なくとも７５％が６５メッシュのふるいに留まり、混合物の少なくとも７５％が２０メッシュのふるいを通過するようにふるいにかける。得られたふるいにかけられた粘土染料共役体粒塊を洗浄または処理組成物に添加できる。
【００６５】
実施例９：黒色粘土−染料共役体懸濁液の調製
染料溶液がＣ．Ｉ．ベーシックブラック２を含む以外、実施例８の方法を行う。
【００６６】
次の洗剤組成物において、酵素濃度は、１００グラムの総組成物あたりの純粋な酵素％として与えられる。特に断らない限り、実施例１０〜１５の組成物の残部は、水、および香料、起泡抑制剤などの微量成分である。実施例１０〜１５の省略された構成成分の識別は次の通りである：
【表１−１】
2008519900.tif 000002
【表１−２】
2008519900.tif 000003
【００６７】
実施例＃１０：漂白性の強力洗濯洗剤組成物を調製する：
【表２−１】
2008519900.tif 000004
【表２−２】
2008519900.tif 000005
【００６８】
実施例＃１１
粒状または錠剤の形態であることができる次の洗濯組成物を本発明に従って調製する。
【表３】
2008519900.tif 000006
【００６９】
実施例＃１２：次の粒状洗剤を調製する：
【表４】
2008519900.tif 000007
【００７０】
実施例＃１３：「洗浄中の柔軟化」を提供する次の粒状布地洗剤組成物を調製する：
【表５】
2008519900.tif 000008
【００７１】
実施例＃１４：次の液体洗剤配合物を調製する：
【表６】
2008519900.tif 000009
【００７２】
実施例＃１５：次の濃縮／希釈液体布地柔軟化組成物を調製する。
【表７】
2008519900.tif 000010
【００７３】
実施例＃１６：実施例１０〜１５の組成物は次のように使用される：
各組成物を別個の溶媒アリコートを用いて合わせ、約５００ｐｐｍ〜約１５，０００ｐｐｍのそれぞれの組成物を含む別個の溶液を得る。白色または黒色衣類あるいは硬質面を含む物品をそれぞれの溶液と接触させる（それぞれの溶液は、物品の初期の色に基づいて選択される）。物品が衣類である場合、溶媒と布地の質量比は、約１：１〜約１００：１であり、溶液温度は約５℃〜約９０℃である。次いで物品を任意に洗浄および／またはすすぐ。得られた物品の色は改善および／または維持される。
【国際調査報告】
2008519900.tif 000011
2008519900.tif 000012
2008519900.tif 000013